(57)【要約】【課題】  操作が簡便で、構造が簡素な光コネクタの分解用治具を提供する。【解決手段】  分解用治具１の保持ブロック３の収容部３ｃにプラグコネクタ１１が収容されている。プラグコネクタのプラグフレーム１１ａは、外郭部材１１ｂに対して挿入抜出可能である。操作部のハンドルを回転させると、スライドブロック４が右方にスライドし、４本の分解用部材４ａの各突出部４ａ１は外郭部材１１の４つの係止部１１ｂ１をそれぞれ押圧する。すると、プラグフレームの各被係止部１１ａ１は、弾性変形可能な各係止部１１ｂ１の係止から解除される。解除後に、スライドブロックの２つの当接部４ｃは、プラグフレームを外郭部材から所定量押し出す。プラグコネクタを収容部から取り出した後、プラグフレームと外郭部材とを完全に分解する。【選択図】  図３
2005107403.tif 000002
【特許請求の範囲】
【請求項１】
外郭部材と、前記外郭部材に対して挿入抜出されるプラグフレームと、前記外郭部材と前記プラグフレームとを係止するために、前記外郭部材又は前記プラグフレームの一方に設けられている係止部と、他方に設けられている被係止部とを有する光コネクタの分解用治具において、
前記分解用治具は、前記係止部と前記被係止部との係止を解除する突出部が設けられているスライドブロックを有することを特徴とする光コネクタの分解用治具。
【請求項２】
前記分解用治具は、前記光コネクタを収容する収容部が設けられている保持ブロックと、前記スライドブロックと、前記スライドブロックをスライド操作する操作部と、前記保持ブロック、前記スライドブロック及び前記操作部を保持する本体部とから構成され、
前記スライドブロックは、前記本体部にスライド可能に保持され、前記係止部と前記被係止部との係止の解除後に、前記プラグフレームと当接して前記プラグフレームを前記外郭部材から抜出する当接部を有することを特徴とする請求項１記載の光コネクタの分解用治具。
【請求項３】
前記係止部又は前記被係止部の一方は、弾性変形可能な部材から構成されることを特徴とする請求項２記載の光コネクタの分解用治具。
【請求項４】
前記収容部の出口寸法は、前記外郭部材の寸法よりも小さく、かつ、前記プラグフレームの寸法よりも大きく構成されることを特徴とする請求項２記載の光コネクタの分解用治具。
【発明の詳細な説明】
【技術分野】
【０００１】
本発明は、光コネクタを分解するために使用される治具に関する。
【背景技術】
【０００２】
従来の技術として、光ファイバ接続器を分解するために使用される光ファイバ接続器分解用工具について説明する（例えば、特許文献１参照。）。
【０００３】
光ファイバ接続器２１は、図１５に示されるように、細長ロッド状のベース２２と、ベース２２の上面に装着される押え蓋２３との間に、突き合わせ接続された一対の光ファイバ２４を挟持する。押え蓋２３は、ベース２２の上面に突設された一対の壁部２５の間に挿入嵌合されることによって、ベース２２との間に光ファイバ２４を挟持する。ベース２２と押え蓋２３との間の両側には、両者を分離するための２つの挿入穴２８が、それぞれ形成されている。
【０００４】
光ファイバ接続器２１は、ベース２２に対して押え蓋２３を着脱することによって、両者の間に配置されている光ファイバ２４を挟持及び挟持解除する。
【０００５】
光ファイバ接続器分解用工具３１は、図１２〜図１４に示されるように、互いに平行に配置されたガイド手段としての一対のシャフト３２によってガイドされつつ接近離間される一対の支持ブロック３３，３４と、各支持ブロック３３，３４の対向する側面３５，３６から突設され、両支持ブロック３３，３４の間に配置された光ファイバ接続器２１の両側面の各挿入穴２８に挿入されて押え蓋２３と係合する各２つの係合爪３７とを有する。両支持ブロック３３，３４の間には、各係合爪３７に支持された押え蓋２３に対して離脱する方向（図１３と図１４における下方）に移動されるベース２２の移動スペース３８が設けられている。
【０００６】
各シャフト３２は、定位置に固定されている一方の支持ブロック３３に穿設された各シャフト挿通孔３９に移動可能に挿入されている。各シャフト３２は、各シャフト挿通孔３９の軸方向寸法よりも長い寸法を有し、各シャフト３２の先端４０には、他方の支持ブロック３４が固定されている。他方の支持ブロック３４は、両固定ねじ４１によって各シャフト３２の先端４０に着脱可能に取り付けられる。各シャフト３２の基端４２には、一方の支持ブロック３３に対して他方の支持ブロック３４を接近離間させるためのレバー４３が取り付けられている。レバー４３は、両固定ねじ４４によって各シャフト３２の基端４２に着脱可能に取り付けられる。
【０００７】
両シャフト３２の中間位置には、図１４に示されるように、一方の支持ブロック３３に対して他方の支持ブロック３４を接近させる付勢力を作用するコイルばね４５が配置されている。コイルばね４５の両端は、各支持ブロック４３，４４に連結されている。
【０００８】
２つの係合爪３７は、２本のねじ４６によって各支持ブロック３３，３４に着脱可能に取り付けられた爪支持板４７に形成された突出部分である。
【０００９】
光ファイバ接続器分解用工具３１は、両支持ブロック３３，３４の間に光ファイバ接続器２１を挟持して分解作業を行う。光ファイバ接続器２１を両支持ブロック３３，３４の間に挟持するには、支持ブロック３４がコイルばね４５によって支持ブロック３３の方向に常時付勢されているので、レバー４３を支持ブロック３４の方向に押し込む。すると、両支持ブロック３３，３４の間が離間するので、移動スペース３８に光ファイバ接続器２１をベース２２を下側にして挿入する。そして、レバー４３の押圧力を解除して、光ファイバ接続器２１の各挿入穴２８に各係合爪３７を挿入する。このようにして、光ファイバ接続器２１は、各係合爪３７によって定位置に支持される。また、この際、ベース２２と各シャフト３２との間には、押え蓋２３に対して離間するベース２２が移動可能なクリアランスが確保される。
【００１０】
光ファイバ接続器２１の挟持が完了した後、ベース２２の長手方向の両端を下方に押圧することによって、ベース２２を押え蓋２３に対して離間させる。この際、下方に移動したベース２２が両シャフト３２に当接することによって支持される。
【００１１】
押え蓋２３に対するベース２２の離間が完了した後、レバー４３を押圧して両支持ブロック３３，３４の間を離間させることによって、光ファイバ接続器２１を簡易に取り出すことができる。
【特許文献１】特開平９−９６７３４号公報（第２頁第２欄第４７行−第４頁第５欄第２２行、図１，２，３，５）
【発明の開示】
【発明が解決しようとする課題】
【００１２】
従来の技術として、前記光ファイバ接続器分解用工具が提案されている。しかし、外郭部材と、この外郭部材に対して挿入抜出されるプラグフレームとから構成される光コネクタの分解用治具は、提案されていない。
【００１３】
そこで、本発明は、操作が簡便で、構造が簡素な光コネクタの分解用治具を提供しようとするものである。
【課題を解決するための手段】
【００１４】
本発明は、前記課題を解決するため、次の手段を採用する。
【００１５】
１．外郭部材と、前記外郭部材に対して挿入抜出されるプラグフレームと、前記外郭部材と前記プラグフレームとを係止するために、前記外郭部材又は前記プラグフレームの一方に設けられている係止部と、他方に設けられている被係止部とを有する光コネクタの分解用治具において、前記分解用治具は、前記係止部と前記被係止部との係止を解除する突出部が設けられているスライドブロックを有する光コネクタの分解用治具。
【００１６】
２．前記分解用治具は、前記光コネクタを収容する収容部が設けられている保持ブロックと、前記スライドブロックと、前記スライドブロックをスライド操作する操作部と、前記保持ブロック、前記スライドブロック及び前記操作部を保持する本体部とから構成され、前記スライドブロックは、前記本体部にスライド可能に保持され、前記係止部と前記被係止部との係止の解除後に、前記プラグフレームと当接して前記プラグフレームを前記外郭部材から抜出する当接部を有する前記１記載の光コネクタの分解用治具。
【００１７】
３．前記係止部又は前記被係止部の一方は、弾性変形可能な部材から構成される前記２記載の光コネクタの分解用治具。
【００１８】
４．前記収容部の出口寸法は、前記外郭部材の寸法よりも小さく、かつ、前記プラグフレームの寸法よりも大きく構成される前記２記載の光コネクタの分解用治具。
【発明の効果】
【００１９】
明細書の説明から明らかなように、本発明によれば、次の効果が、奏される。
【００２０】
１．操作部によりスライドブロックをスライド操作することによって、保持ブロックの収容部に収容されている光コネクタの外郭部材とプラグフレームとを分解することができるので、操作が簡便である。
【００２１】
２．分解用治具は、光コネクタを収容する収容部が設けられている保持ブロックと、係止部と被係止部との係止を解除する突出部が設けられているスライドブロックと、スライドブロックをスライド操作する操作部と、保持ブロック、スライドブロック及び操作部を保持する本体部とから構成されるので、構造が簡素である。
【発明を実施するための最良の形態】
【００２２】
本発明の一実施例の光コネクタの分解用治具について以下に説明する。
【実施例１】
【００２３】
本発明の実施例１について図１〜図１１を参照して説明する。
【００２４】
図１は、分解用治具１と、この分解用治具１によって分解されるプラグコネクタ１１の斜視図である。
【００２５】
分解用治具１は、長方形板状の本体部２と、本体部２上に設置された保持ブロック３と、本体部２の表面に形成されたレール２ａ上をスライドすることができるスライドブロック４と、スライドブロック４をスライドさせる操作部５とから構成される。
【００２６】
保持ブロック３の上部には、長方形の一対の板３ａ，３ａが、それぞれ２本のねじ３ｂ，３ｂによって固定されている。両板３ａ，３ａの間の部分は、プラグコネクタ１１の収容部３ｃとなる。保持ブロック３の一側面の中央には、プラグコネクタ１１に接続されたコードをガイドするために、ガイド曲板３ｄが固定されている。
【００２７】
プラグコネクタ１１が分解された状態を、便宜上、図１１を参照して説明する。プラグコネクタ１１は、４角形状のプラグフレーム１１ａと、プラグフレーム１１ａを挿入される４角筒形状の外郭部材１１ｂとから構成される。プラグフレーム１１ａの上下両面には、それぞれ２箇所の被係止部１１ａ１（後述する。）が、設けられている。外郭部材１１ｂの幅は、収容部３ｃの出口幅３ｃ１よりも大きく、プラグフレーム１１ａの幅は、収容部３ｃの出口幅３ｃ１よりも小さい。外郭部材１１ｂの上下両面には、それぞれ２箇所の係止部１１ｂ１（後述する。）が、設けられている。各被係止部１１ａ１は、図３に示されるように、上下方向に弾性変形可能な各係止部１１ｂ１にフック構造等によって係止されている。なお、各被係止部１１ａ１を弾性変形可能に設計変更することもできる。
【００２８】
スライドブロック４の保持ブロック３に対向する側には、４本の分解用部材４ａが、上下左右対称に２本のねじ４ｂ，４ｂによって固定されている。また、各上下２本の分解用部材４ａの間には、プラグフレーム１１ａを外郭部材１１ｂから押し出すために、それぞれ当接部４ｃが設けられている。
【００２９】
図２は、プラグコネクタ１１が収容部３ｃに収容された状態の分解用治具１の斜視図である。
【００３０】
図３は、図２における収容部３ｃとその近傍及びプラグコネクタ１１の拡大斜視図である。
【００３１】
図４は、図２における操作部５のハンドル５ａを軸５ｂを中心として左回転させる途中の状態の斜視図である。図５は、図４における収容部３ｃとその近傍及びプラグコネクタ１１の拡大斜視図である。操作部５は、中間機構５ｃを介してスライドブロック４を押すので、各分解用部材４ａの突出部４ａ１は、外郭部材１１ｂの各係止部１１ｂ１を押圧する。すると、プラグフレーム１１ａの各被係止部１１ａ１は、各係止部１１ｂ１の係止から解除される。
【００３２】
図６は、図２における操作部５のハンドル５ａの軸５ｂを中心とする左回転を完了させた状態の斜視図である。図７は、図６における収容部３ｃとその近傍及びプラグコネクタ１１の拡大斜視図である。この状態では、プラグフレーム１１ａは、各当接部４ｃに押されることによって、外郭部材１１ｂから所定量押し出されている。
【００３３】
図８は、図６の状態において、ハンドル５ａを軸５ｂを中心として右回転させて図２の位置に戻したときの斜視図である。図９は、図８における収容部３ｃとその近傍及びプラグコネクタ１１の拡大斜視図である。各分解用部材４ａの突出部４ａ１は、外郭部材１１ｂの各係止部１１ｂ１から退出している。
【００３４】
図１０は、図８の状態において、プラグコネクタ１１を収容部３ｃから取り出して本体部２の近傍に配置した状態の斜視図である。この状態では、プラグフレーム１１ａは、外郭部材１１ｂから所定量押し出されたままである。
【００３５】
図１１に示される状態では、プラグフレーム１１ａが外郭部材１１ｂから手指によって完全に引き出され、プラグフレーム１１ａと外郭部材１１ｂとが分解されている。
【図面の簡単な説明】
【００３６】
【図１】本発明の光コネクタの分解用治具とこれによって分解されるプラグコネクタの斜視図である。
【図２】同プラグコネクタが同分解用治具の収容部に収容された状態の斜視図である。
【図３】図２における同収容部とその近傍及び同プラグコネクタの拡大斜視図である。
【図４】同プラグコネクタのプラグフレームが外郭部材から押し出される途中の状態の斜視図である。
【図５】図４における同収容部とその近傍及び同プラグコネクタの拡大斜視図である。
【図６】同プラグフレームが同外郭部材から押し出された状態の斜視図である。
【図７】図６における同収容部とその近傍及び同プラグコネクタの拡大斜視図である。
【図８】図６の状態において、操作部のハンドルを図２の位置（原位置）に戻したときの斜視図である。
【図９】図８における同収容部とその近傍及び同プラグコネクタの拡大斜視図である。
【図１０】同プラグコネクタを同収容部から取り出して同分解用治具の近傍に配置した状態の斜視図である。
【図１１】図１０の状態において、同プラグフレームと同外郭部材とが分解されたときの斜視図である。
【図１２】従来の光ファイバ接続器分解用工具の斜視図である。
【図１３】同光ファイバ接続器分解用工具の正面図である。
【図１４】図１２における線Ａ−Ａによる断面図である。
【図１５】従来の光ファイバ接続器の拡大斜視図である。
【符号の説明】
【００３７】
１  分解用治具
２  本体部
２ａ  レール
３  保持ブロック
３ａ  板
３ｂ  ねじ
３ｃ  収容部
３ｃ１  出口幅
３ｄ  ガイド曲板
４  スライドブロック
４ａ  分解用部材
４ａ１  突出部
４ｂ  ねじ
４ｃ  当接部
５  操作部
５ａ  ハンドル
５ｂ  軸
５ｃ  中間機構
１１  プラグコネクタ
１１ａ  プラグフレーム
１１ａ１  被係止部
１１ｂ  外郭部材
１１ｂ１  係止部
【図１】
2005107403.tif 000003
【図２】
2005107403.tif 000004
【図３】
2005107403.tif 000005
【図４】
2005107403.tif 000006
【図５】
2005107403.tif 000007
【図６】
2005107403.tif 000008
【図７】
2005107403.tif 000009
【図８】
2005107403.tif 000010
【図９】
2005107403.tif 000011
【図１０】
2005107403.tif 000012
【図１１】
2005107403.tif 000013
【図１２】
2005107403.tif 000014
【図１３】
2005107403.tif 000015
【図１４】
2005107403.tif 000016
【図１５】
2005107403.tif 000017